(57)【要約】  携帯型電子デバイス用の電力を供給する方法とシステムは、１つ又は複数の燃料電池からＤＣ−ＤＣコンバーターに電流供給すること、ならびに電力供給システム及び携帯型電子デバイスの内の少なくとも１つの測定温度の関数としてＤＣ−ＤＣコンバーターの電流制限値を調整することを含む。電流制限値は、測定温度の逆関数として変化することができる。電流制限値は、ＤＣ−ＤＣコンバーターの入力電流制限値又はＤＣ−ＤＣコンバーターの出力電流制限値であってよい。ＤＣ−ＤＣコンバーターの電流制限値の低下に比例して１つ又は複数の燃料電池により生成された電流量を減少させ、１つ又は複数の燃料電池により発生する熱を減らし、それにより、測定温度を下げることができる。温度センサーは、１つ又は複数の燃料電池又はその近くに配置することができる。また、温度センサーは、携帯型電子デバイスの内部ハウジングに配置することができる。【選択図】図２
2016515374.tif 000002
【特許請求の範囲】
【請求項１】
携帯型電子デバイスへの電力供給システムであって、
前記携帯型電子デバイス及び前記システムの少なくとも１つの温度を測定するように構成された温度センサーと、
電力を生成するように構成された１つ又は複数の燃料電池と、
１つ又は複数の燃料電池に接続された入力及び携帯型電子デバイスに接続された出力を含むＤＣ−ＤＣコンバーターと
を含み、
前記ＤＣ−ＤＣコンバーターが、前記１つ又は複数の燃料電池から入力電流と入力電圧で前記電力を受け取り、実質的に一定電圧で前記電子デバイスに出力電力を供給するように構成され、前記ＤＣ−ＤＣコンバーターが、前記測定温度の関数として変化する電流制限値を備える、
システム。
【請求項２】
前記電流制限値が前記測定温度の逆関数として変化する、請求項１に記載のシステム。
【請求項３】
前記携帯型電子デバイスによる電力需要の量に関係なく、前記１つ又は複数の燃料電池により生成された電流量が前記ＤＣ−ＤＣコンバーターの電流制限値の低下に比例して減少する、請求項１に記載のシステム。
【請求項４】
前記携帯型電子デバイスにより受け取られる実質的に全ての前記電力が前記１つ又は複数の燃料電池により供給される、請求項１に記載のシステム。
【請求項５】
低電力モードをさらに含み、このモードでは、前記１つ又は複数の燃料電池により生成された前記電力が、前記携帯型電子デバイスの低電力需要の関数として減らされる、請求項１に記載のシステム。
【請求項６】
前記ＤＣ−ＤＣコンバーターの機能性の一部がデジタル制御システムにより実行される、請求項１に記載のシステム。
【請求項７】
前記温度センサーが前記携帯型電子デバイスの内部ハウジング上に配置され、前記システムが前記内部ハウジングの前記測定温度に基づいて前記携帯型電子デバイスの外面温度を決定する請求項１に記載のシステム。
【請求項８】
前記温度センサーが、前記１つ又は複数の燃料電池上又はその近くに配置される、請求項１に記載のシステム。
【請求項９】
前記温度センサーが、サーミスター、半導体接合、抵抗温度検出器、及び熱電対からなる群から選択される、請求項１に記載のシステム。
【請求項１０】
前記電流制限値が入力電流制限値である、請求項１に記載のシステム。
【請求項１１】
前記電流制限値が出力電流制限値である、請求項１に記載のシステム。
【請求項１２】
前記ＤＣ−ＤＣコンバーターと前記携帯型電子デバイスとの間に配置された電力管理システムをさらに含み、前記電力管理システムが前記１つ又は複数の燃料電池から前記携帯型電子デバイスに電力を送るように構成される、請求項１に記載のシステム。
【請求項１３】
携帯型電子デバイス用の燃料電池電力供給システムの制御方法であって、
１つ又は複数の燃料電池からＤＣ−ＤＣコンバーターに電流を供給すること、及び
前記電力供給システム及び前記携帯型電子デバイスの内の少なくとも１つの測定温度の関数として前記ＤＣ−ＤＣコンバーターの電流制限値を制御すること
を含む方法。
【請求項１４】
前記ＤＣ−ＤＣコンバーターの前記電流制限値を前記測定温度の関数として調整することが、前記携帯型電子デバイスの電力需要に関係なく、前記１つ又は複数の燃料電池からの出力電流を制限することを含む、請求項１３に記載の方法。
【請求項１５】
前記ＤＣ−ＤＣコンバーターの前記電流制限値が、前記測定温度の逆関数として変化する、請求項１３に記載の方法。
【請求項１６】
前記測定温度の関数として前記ＤＣ−ＤＣコンバーターの電流制限値を調整することが、前記ＤＣ−ＤＣコンバーターにサーミスターを接続することを含む、請求項１３に記載の方法。
【請求項１７】
前記測定温度の関数として前記ＤＣ−ＤＣコンバーターの電流制限値を制御することが、制御装置を使って前記測定温度をモニターし、前記ＤＣ−ＤＣコンバーターの前記電流制限値を決定することを含む、請求項１３に記載の方法。
【請求項１８】
前記電流制限値が前記ＤＣ−ＤＣコンバーターの入力電流制限値である、請求項１３に記載の方法。
【請求項１９】
前記電流制限値が前記ＤＣ−ＤＣコンバーターの出力電流制限値である、請求項１３に記載の方法。
【請求項２０】
携帯型電子デバイス用の電力供給システムの制御方法であって、
１つ又は複数の燃料電池及びＤＣ−ＤＣコンバーターを含む電力供給システムを用意すること、
前記１つ又は複数の燃料電池から電力を生成すること、
前記１つ又は複数の燃料電池から可変電圧および可変電流で前記電力が前記ＤＣ−ＤＣコンバーターに供給されるように、前記１つ又は複数の燃料電池を前記ＤＣ−ＤＣコンバーターに接続すること、
前記ＤＣ−ＤＣコンバーターから前記携帯型電子デバイスに実質的に一定電圧で出力電力を供給すること、
前記携帯型電子デバイス及び前記電力供給システムの内の少なくとも１つの温度を測定すること、及び
前記測定温度の関数として前記ＤＣ−ＤＣコンバーターの電流制限値を調節し、それにより、前記１つ又は複数の燃料電池からの出力電流を前記ＤＣ−ＤＣコンバーターの前記調整された電流制限値の関数として調整することを含む方法。
【請求項２１】
前記測定温度の関数として前記ＤＣ−ＤＣコンバーターの前記電流制限値を調整することが、前記測定温度が高まるに伴い前記電流制限値を下げることを含む、請求項２０に記載の方法。
【請求項２２】
前記ＤＣ−ＤＣコンバーターから前記携帯型電子デバイスに前記出力電力を供給することが、前記携帯型電子デバイスへの電力の送出を制御する電力管理システムに前記出力電力を供給することを含む、請求項２０に記載の方法。
【請求項２３】
前記ＤＣ−ＤＣコンバーターの機能性の一部が、デジタル制御システムにより実行される、請求項２０に記載の方法。
【請求項２４】
前記携帯型電子デバイス及び前記電力供給システムの内の少なくとも１つの前記温度を測定することが、前記携帯型電子デバイス又は前記電力供給システムの内の少なくとも１つの内部又は表面上にある温度検出素子の電気抵抗値を測定することを含む、請求項２０に記載の方法。
【請求項２５】
前記携帯型電子デバイス及び前記電力供給システムの内の少なくとも１つの前記温度を測定することが、前記携帯型電子デバイスの内部の温度を測定して前記携帯型電子デバイスが最大電子デバイス温度を超える温度で動作するのを防ぐことを含む、請求項２０に記載の方法。
【請求項２６】
前記携帯型電子デバイスの内部の前記測定温度に基づいて前記携帯型電子デバイスの外面の温度を計算することをさらに含む、請求項２５に記載の方法。
【請求項２７】
前記携帯型電子デバイス及び前記電力供給システムの内の少なくとも１つの前記温度を測定することが、前記１つ又は複数の燃料電池上又はその近くの温度を測定して、前記１つ又は複数の燃料電池が最大燃料電池動作温度を超える温度で動作するのを防ぐことを含む、請求項２０に記載の方法。
【発明の詳細な説明】
【技術分野】
【０００１】
優先権の主張
２０１３年３月１５日に出願されたＭｃＬｅａｎらの「ＦＵＥＬ  ＣＥＬＬ  ＤＣ−ＤＣ  ＣＯＮＶＥＲＴＥＲ」という名称の米国特許出願第１３／８４４，４８２号の優先権の利益を主張する。この特許出願は参照によりその全体が本明細書に組み込まれる。
【０００２】
技術分野
本特許出願は、燃料電池電力供給システムに関し、より具体的には、電子デバイス用燃料電池電力供給システムを制御するシステムと方法に関する。
【背景技術】
【０００３】
燃料電池を使用して、携帯型電子デバイスなどの様々な種類のシステム又はデバイスへの電力供給を行うことができる。場合によっては、電力供給システム及び電子デバイスの各種温度のモニター及び制御を行うことが重要及び／又は有益であることがある。例えば、燃料電池を特定の温度未満に維持して燃料電池のドライアウトを防ぐことが重要なことがある。別の例では、電子デバイスの全体温度をユーザーに快適な一定の温度、又はその温度未満で、かつコンシューマデバイス規格内に維持することが重要な場合がある。
【０００４】
放熱装置を使って燃料電池及び／又は電子デバイスから熱を除去し、例えば、過熱及び／又は設定動作温度の超過を防ぐことができる。放熱装置及び他のタイプの温度制御システムは、全体の使用可能空き領域と重量の制約を考慮すると、採用が極めて難しい場合がある。さらに、放熱装置は、動作させるために電力の使用が必要で、このために、ある程度の熱負荷を追加することになり、燃料電池の総正味効率を低下させる。特に、携帯型電子デバイスに対して、携帯型電子デバイス中の部品の数と複雑さを制限することが重要な場合がある。
【発明の概要】
【０００５】
本出願は、１つ又は複数の燃料電池から携帯型電子デバイスに電力を供給する方法とシステムに関する。方法とシステムは、測定温度の関数としてＤＣ−ＤＣコンバーターの電流制限値を調節することを含む。
【０００６】
本明細書で開示の電力供給システムと方法をより適切に示すために、次の非限定的実施例が提供される。
【０００７】
一実施例では、携帯型電子デバイスに対する電力供給システムは、携帯型電子デバイス及びシステムの内の少なくとも１つの温度を測定するように構成された温度センサー、電力を生成するように構成された１つ又は複数の燃料電池、ならびに、１つ又は複数の燃料電池に接続された入力及び携帯型電子デバイスに接続された出力を備えたＤＣ−ＤＣコンバーターを含む。ＤＣ−ＤＣコンバーターは、１つ又は複数の燃料電池から入力電流と入力電圧として電力を受け取り、実質的に一定電圧で電子デバイスに出力電力を供給するように構成され、ＤＣ−ＤＣコンバーターは、測定温度の関数として変化する電流制限値を備える。
【０００８】
一実施例では、携帯型電子デバイス用の燃料電池電力供給システムを制御する方法は、ＤＣ−ＤＣコンバーターに１つ又は複数の燃料電池から電流を供給すること、ならびに電力供給システム及び携帯型電子デバイスの内の少なくとも１つの測定温度の関数としてＤＣ−ＤＣコンバーターの電流制限値を調整することを含む。
【０００９】
一実施例では、携帯型電子デバイス用電力供給システムを制御する方法は、１つ又は複数の燃料電池とＤＣ−ＤＣコンバーターを含む電力供給システムを用意すること、１つ又は複数の燃料電池から電力を生成すること、１つ又は複数の燃料電池をＤＣ−ＤＣコンバーターに接続して１つ又は複数の燃料電池からＤＣ−ＤＣコンバーターに可変電圧と可変電流として電力を供給すること、及びＤＣ−ＤＣコンバーターから携帯型電子デバイスに実質的に一定電圧で出力電力を供給することを含む。方法は、携帯型電子デバイス及び電力供給システムの内の少なくとも１つの温度を測定すること、ならびに測定温度の関数としてＤＣ−ＤＣコンバーターの電流制限値を調整し、それにより、ＤＣ−ＤＣコンバーターの調整された電流制限値の関数として１つ又は複数の燃料電池からの出力電流を調整することをさらに含む。
【００１０】
本出願の種々の実施例は、単純な設計を有し、システム内又はシステムが電力を供給する電子デバイス内のいずれかの所定の（１つ又は複数の）温度を制限することを可能とする燃料電池電力供給システムを含む。種々の実施例では、電力供給システムは、大きなヒートシンク又はファン、又は他のタイプの大きな熱除去装置なしに使用できる。これらの熱除去装置はシステムから電力の供給が必要となる場合がある。種々の実施例では、電力供給システムは、ＤＣ−ＤＣコンバーターに対する電流制限値の制御により、燃料電池に由来する熱などを含むシステムにより生成される熱を減らし、その結果、電力供給システム又は電子デバイスの所定の温度を制限することができる。電流制限値を制御することにより、電力供給システムは、非効率的に動作させる又は加熱させることがある燃料電池からの大きな電流の引き出しを避けるか又は最小限にすることができる。
【００１１】
電流制限値の制御を介してシステムにより生成される熱を減らすことにより、電力供給システムを使って、例えば、最大表面温度を制限する消費者製品規格に対応可能な所定の温度に限定できる。本出願の種々の実施例では、所定の温度は、電力需要に関係なく制限できる。従って、温度の制限は、電子デバイスに対する要求電力の非供給という犠牲を払って実現できる。
【００１２】
システムからの熱の除去ではなく、生成される熱の低減に焦点を絞ることにより、電力供給システムを効率的に動作させることができ、更に、電力供給システム中の部品の数を減らし、電子デバイス内の占有領域を減らすことができる。占有領域と単純さは、携帯型電子デバイスにとって特に重要な場合がある。種々の実施例では、使用領域の節約に加えて、１つ又は複数の燃料電池又はその近傍に１つもしくは複数の大きなヒートシンク又はその他の熱除去装置のないことは、１つ又は複数の燃料電池が低温で操作する場合は特に、１つ又は複数の燃料電池の効率に良い影響を与える可能性がある。
【００１３】
本出願の種々の実施例は、電子デバイス用の電力を生成し、１つ又は複数の燃料電池により生成される追加の電力（電子デバイスには必要でない）用のダンプ抵抗を必要としない燃料電池電力供給システムを含む。種々の実施例では、１つ又は複数の燃料電池は、電子デバイスからの低電力需要に対応する低電力モードで動作できる。その他の燃料電池システムとは対照的に、本出願の１つ又は複数の燃料電池は、電力需要が低い場合には、高温での又は一定電力での運転を必要とされない。一実施例では、１つ又は複数の燃料電池は、制限されない最小動作温度であってよい。
【００１４】
本出願の種々の実施例は、電子デバイスへの実質的に全ての電力が１つ又は複数の燃料電池に由来する燃料電池電力供給システムを含む。一実施例では、システムは電池を含まず、単純で対費用効果の高い設計を可能にする一方、電力供給システム用の領域を最小限にする。これは、いずれのタイプの携帯型電子デバイスにも重要なことである。
【００１５】
この発明の概要は、本特許出願の主題の概要を提供することを意図している。限定的又は包括的な説明を提供することを意図するものではない。詳細な説明は、本特許出願に関するさらなる情報の提供が含まれる。
【００１６】
図は、必ずしも縮尺通りではなく、また、いくつかの図を通して、類似の数字は実質的に類似の部品を表す。異なる文字の添え字を有する類似の数字は、実質的に類似の部品の別の例を表す。図は、本文書中の種々の実施形態を制限するためではなく、一般的に例として図示する。
【図面の簡単な説明】
【００１７】
【図１】電子デバイスに電力を供給する電力供給システムの実施例を一般的に示すブロック図である。
【図２】電子デバイスに電力を供給する電力供給システムの実施例を一般的に示すブロック図である。
【図２Ａ】電子デバイスに電力を供給する電力供給システムの実施例を一般的に示すブロック図である。
【図３】電子デバイスに電力を供給する電力供給システムの実施例を一般的に示すブロック図である。
【図４】電子デバイスに電力を供給する電力供給システムの実施例を一般的に示すブロック図である。
【図４Ａ】電子デバイスに電力を供給する電力供給システムの実施例を一般的に示すブロック図である。
【図５】図４の電力供給システムで使用するデジタル制御システムの実施例を一般的に示すブロック図である。
【発明を実施するための形態】
【００１８】
次の説明の全体を通して、本発明のより完全な理解を得るために具体的詳細が記述される。しかしながら、本発明は、これらの詳細事項なしで実施できる。その他の場合、本発明を不必要に不明瞭にすることを避けるために、よく知られた構成要素を詳細に示すことも、又は記載することもしなかった。図面は、実例として、本発明を実施できる具体的な実施形態を示す。これらの実施形態を組み合わせることも、他の構成要素を利用することもでき、又は本発明の範囲から逸脱することなく構造的もしくは論理的な変更を行うこともできる。したがって、明細書及び図面は、制限的というよりも、むしろ例証的な意図として考慮されるべきである。
【００１９】
本明細書と参照によって組み込まれた参考文献の間で使用法に矛盾がある場合には、組み込まれた参考文献の使用法は本明細書に対する補助的なものと見なされるべきである。相いれない矛盾がある場合には、本明細書の使用法が優先する。
【００２０】
本明細書において、用語の「ａ」又は「ａｎ」は、「少なくとも１つ（ａｔ  ｌｅａｓｔ  ｏｎｅ）」又は「１つ又は複数（ｏｎｅ  ｏｒ  ｍｏｒｅ）」のいずれか他の例又は使用法に関係なく、１つ以上を含むように使用される。本明細書では、用語の「又は（ｏｒ）」は、非排他的な意味に使用され、すなわち、例えば、「Ａ、Ｂ又はＣ」は、別段の指示がない限り、「Ａのみ」、「Ｂのみ」、「Ｃのみ」、「Ａ及びＢ」、「Ｂ及びＣ」、「Ａ及びＣ」、及び「Ａ、Ｂ及びＣ」を意味する。添付の態様又は請求項において、用語の「第１の」、「第２の」及び「第３の」などは、単に標識として使用され、それらの対象物に対して数値的は要件を課することを意図していない。本明細書で明示的に開示された任意の数値範囲は、明示的に開示された範囲の任意の部分集合を、あたかもこれらの部分集合範囲も明示的に開示されているかのように、含むものとすることを理解されたい。例えば、１〜１００の開示範囲は、１〜８０、２〜７６、又は１〜１００の間に入る他の任意の数値範囲も包含するものとする。別の例では、「１，０００以下」の開示範囲は、１，０００未満の任意の範囲、例えば、５０〜１００、２５〜２９、又は２００〜１，０００も含むものとする。
【００２１】
本発明で使用する場合、「実質的に」は、少なくとも約５０％、６０％、７０％、８０％、９０％、９５％、９６％、９７％、９８％、９９％、９９．５％、９９．９％、９９．９９％、又は少なくとも約９９．９９９％もしくはそれ超の場合のような、大部分、又はほとんどを意味することができる。
【００２２】
本発明で使用する場合、「燃料電池」は、単一の燃料電池、又は燃料電池の集合体を意味することができる。複数の燃料電池は、燃料電池の配列を構成するように、一緒に配置及び連結できる。全電気化学構造が層内に含まれる可変電力生成燃料電池層を提供するために単電池の配列を構成することができる。配列は任意の好適な配置に構成できる。例えば、単燃料電池の配列を隣接して配置して平面燃料電池層を構成できる。平面燃料電池層は、全体又は部分的に平面であってよく、また、全体又は部分的に可撓性であってもよい。配列中の燃料電池は、管状又は曲線状などの他の平面を採用することもできる。あるいは、又は加えて、配列は他の形状に順応可能な可撓性材料を含むことができる。
【００２３】
本発明で使用する場合、「ＤＣ−ＤＣコンバーター」は、ＤＣ電圧と電流の電気特性を異なる電圧と電流値に変更する効果を生ずる電子部品の集積回路又はアセンブリを意味することができる。通常、ＤＣ−ＤＣコンバーターは、電圧を高めて入力電圧より高い出力電圧を提供することができ、電圧を下げて入力電圧より低い出力電圧を提供することができ、又は組み合わせた「バックブースト」コンバーターであってもよく、このバックブーストコンバーターは、広範囲の入力電圧に順応して実質的に一定の出力電圧源を形成できる。ＤＣ−ＤＣコンバーターは、通常、出力電圧で指定できる。他の設計では、回路内の部品（抵抗器など）の配置により指定されるように、ＤＣ−ＤＣコンバーターの出力電流を限定することができる。限流ＤＣ−ＤＣコンバーターは入手可能で、ＤＣ−ＤＣコンバーターの出力が取り付けられている回路素子が過剰電流により駆動されるのを保護するために使用されている。出力電流制限値をユーザーが調整可能なＤＣ−ＤＣコンバーターは、市販の製品として入手できる。入力電流制限値をユーザーが調整可能なＤＣ−ＤＣコンバーターは、あまり一般的ではないであろう。本出願は、温度の関数としてＤＣ−ＤＣコンバーターの電流制限値を調整することを含む電力供給システムと方法について記載する。本明細書で記載の電力供給システムは、ＤＣ−ＤＣコンバーターの入力電流制限値又はＤＣ−ＤＣコンバーターの出力電流制限値を使って動作させることができる。
【００２４】
本発明で使用する場合、他に規定されない限り、「電流制限値」は、入力電流制限値又は出力電流制限値を意味することができる。
【００２５】
本出願は、１つ又は複数の燃料電池を使って電子デバイスに電力を供給するシステムと方法に関する。本明細書で開示のシステムと方法を使って、ＤＣ−ＤＣコンバーターの電流制限値を調整することにより、１つ又は複数の燃料電池の（１つ又は複数の）温度、又は、いくつかの実施例では、電子デバイスの１つ又は複数の（１つ又は複数の）温度を制限することができる。本出願の請求項又は明細書で記載の１つ又は複数の燃料電池は、「Ｅｌｅｃｔｒｏｃｈｅｍｉｃａｌ  Ｃｅｌｌｓ  Ｈａｖｉｎｇ  Ｃｕｒｒｅｎｔ−Ｃａｒｒｙｉｎｇ  Ｌａｙｅｒｓ  Ｕｎｄｅｒｌｙｉｎｇ  Ｃａｔａｌｙｓｔ  Ｌａｙｅｒｓ」という名称の米国特許第７，６３２，５８７号及び「Ｅｌｅｃｔｒｏｃｈｅｍｉｃａｌ  Ｃｅｌｌｓ  Ｈａｖｉｎｇ  Ｃｕｒｒｅｎｔ−Ｃａｒｒｙｉｎｇ  Ｓｔｒｕｃｔｕｒｅｓ  Ｕｎｄｅｒｌｙｉｎｇ  Ｅｌｅｃｔｒｏｃｈｅｍｉｃａｌ  Ｒｅａｃｔｉｏｎ  Ｌａｙｅｒｓ」という名称の米国特許第８，２３２，０２５号においてＭｃＬｅａｎらにより記載された燃料電池及びシステム、又は「Ｆｕｅｌ  Ｃｅｌｌ  Ｓｙｓｔｅｍｓ  Ｉｎｃｌｕｄｉｎｇ  Ｓｐａｃｅ−Ｓａｖｉｎｇ  Ｆｌｕｉｄ  Ｐｌｅｎｕｍ  ａｎｄ  Ｒｅｌａｔｅｄ  Ｍｅｔｈｏｄｓ」という名称の米国特許出願公開第２００９／００８１４９３号及び「Ｅｌｅｃｔｒｏｃｈｅｍｉｃａｌ  Ｃｅｌｌｓ  ａｎｄ  Ｍｅｍｂｒａｎｅｓ  Ｒｅｌａｔｅｄ  Ｔｈｅｒｅｔｏ」という名称の米国特許出願公開第２０１１／０００３２２９号においてＳｃｈｒｏｏｔｅｎらにより記載された燃料電池及びシステム、又は「Ｆｕｅｌ  Ｃｅｌｌｓ  ａｎｄ  Ｆｕｅｌ  Ｃｅｌｌ  Ｃｏｍｐｏｎｅｎｔｓ  Ｈａｖｉｎｇ  Ａｓｙｍｍｅｔｒｉｃ  Ａｒｃｈｉｔｅｃｔｕｒｅ  ａｎｄ  Ｍｅｔｈｏｄｓ  Ｔｈｅｒｅｏｆ」という名称のＰＣＴ出願公開第ＷＯ２０１１／０７９３７７号においてＳｃｈｒｏｏｔｅｎらにより記載された燃料電池及びシステム、又は「Ｉｎｔｅｇｒａｔｅｄ  Ｆｕｅｌ  Ｃｅｌｌ  ａｎｄ  Ｈｅａｔ  Ｓｉｎｋ  Ａｓｓｅｍｂｌｙ」という名称の米国特許第７，２０５，０５７号においてＭｃＬｅａｎにより記載された燃料電池及びシステム、又は「Ｄｅｖｉｃｅｓ  ｆｏｒ  Ｍａｎａｇｉｎｇ  Ｈｅａｔ  ｉｎ  Ｐｏｒｔａｂｌｅ  Ｅｌｅｃｔｒｏｎｉｃ  Ｄｅｖｉｃｅｓ」という名称の米国特許第８，３６１，６６８号においてＭｃＬｅａｎらにより記載された燃料電池及びシステム、又は「Ｄｅｖｉｃｅｓ  Ｐｏｗｅｒｅｄ  ｂｙ  Ｃｏｎｆｏｒｍａｂｌｅ  Ｆｕｅｌ  Ｃｅｌｌｓ」という名称の米国特許第７，４７４，０７５号においてＭｃＬｅａｎにより記載された燃料電池及びシステム、又は「Ｆｌｅｘｉｂｌｅ  Ｆｕｅｌ  Ｃｅｌｌ  Ｓｔｒｕｃｔｕｒｅｓ  ｈａｖｉｎｇ  Ｅｘｔｅｒｎａｌ  Ｓｕｐｐｏｒｔ」という名称の米国特許出願公開第２００６／０１２７７３４号においてＭｃＬｅａｎらにより記載された燃料電池及びシステム、又は「Ｅｌｅｃｔｒｏｃｈｅｍｉｃａｌ  Ｃｅｌｌ  Ａｓｓｅｍｂｌｉｅｓ  ｉｎｃｌｕｄｉｎｇ  ａ  Ｒｅｇｉｏｎ  ｏｆ  Ｄｉｓｃｏｎｔｉｎｕｉｔｙ」という名称の米国特許第８，１２９，０６５号においてＳｃｈｒｏｏｔｅｎらにより記載された燃料電池及びシステム、又は「Ｓｙｓｔｅｍ  ｆｏｒ  Ｃｏｎｔｒｏ���ｌｉｎｇ  Ｔｅｍｐｅｒａｔｕｒｅ  ｉｎ  ａ  Ｆｕｅｌ  Ｃｅｌｌ」という名称で米国特許出願第１３／５３５，７３３号として２０１２年６月２８日に出願され、米国特許出願公開第２０１４／０００４４３６号として公告された特許においてＳｃｈｒｏｏｔｅｎらにより記載された燃料電池及びシステムを含むことができる。これら全ての特許及び特許出願は、参照によりその全体が本明細書に組み込まれる。また、「Ｅｌｅｃｔｒｏｃｈｅｍｉｃａｌ  ｃｅｌｌ  ｓｙｓｔｅｍ  ｗｉｔｈ  ｓｉｄｅ−ｂｙ−ｓｉｄｅ  ａｒｒａｎｇｅｍｅｎｔ  ｏｆ  ｃｅｌｌｓ」という名称の米国特許第５，９８９，７４１号；国際公開第ＷＯ２００７／０２０２４２号として公告された「Ｐｏｌｙｍｅｒ  Ｃｏｍｐｏｓｉｔｅ  Ｉｏｎｉｃ／Ｅｌｅｃｔｒｏｎｉｃ  Ｃｏｎｄｕｃｔａｎｃｅ  Ｍｅｍｂｒａｎｅ  Ｍｅｔｈｏｄｓ  ｆｏｒ  ｔｈｅ  Ｐｒｏｄｕｃｔｉｏｎ  Ｔｈｅｒｅｏｆ  ａｎｄ  ａ  Ｐｌａｎａｒ  Ｆｕｅｌ  Ｃｅｌｌ  Ｃｏｒｅ  ｃｏｍｐｒｉｓｉｎｇ  ｓａｉｄ  Ｍｅｍｂｒａｎｅ」という名称の国際出願第ＰＣＴ／ＥＰ２００６／０６５２５５号；「Ｆｕｅｌ  Ｃｅｌｌ  ｃｏｍｐｒｉｓｉｎｇ  ａ  ｐｌｕｒａｌｉｔｙ  ｏｆ  Ｉｎｄｉｖｉｄｕａｌ  Ｃｅｌｌｓ  Ｃｏｎｎｅｃｔｅｄ  ｉｎ  ｓｅｒｉｅｓ  ｂｙ  Ｃｕｒｒｅｎｔ  Ｃｏｌｌｅｃｔｏｒｓ」という名称の米国特許出願公開第２００９／０１２３８０３号；「Ｆｕｅｌ  Ｃｅｌｌ  ｗｉｔｈ  Ｃｕｒｒｅｎｔ  Ｃｏｌｌｅｃｔｏｒｓ  Ｉｎｔｅｇｒａｔｅｄ  ｗｉｔｈ  ｔｈｅ  Ｓｏｌｉｄ  Ｅｌｅｃｔｒｏｌｙｔｅ  ａｎｄ  Ｐｒｏｃｅｓｓ  ｆｏｒ  Ｍａｎｕｆａｃｔｕｒｉｎｇ  ｓｕｃｈ  ａ  Ｆｕｅｌ  Ｃｅｌｌ」という名称の米国特許出願公開第２００９／０１６９９４５号；及び「Ｆｕｅｌ  Ｃｅｌｌ  ｃｏｍｐｒｉｓｉｎｇ  ａ  Ｍｅｍｂｒａｎｅ  ｈａｖｉｎｇ  Ｆｏｃａｌｉｚｅｄ  Ｉｏｎｉｃ  Ｃｏｎｄｕｃｔｉｏｎ  ａｎｄ  Ｍｅｔｈｏｄ  ｆｏｒ  Ｍａｎｕｆａｃｔｕｒｉｎｇ  Ｓａｍｅ」という名称の米国特許出願公開第２０１３／００５９２２５号、を参照する。
【００２６】
本出願は、測定温度の関数としてＤＣ−ＤＣコンバーターの電流（入力又は出力）を制御する電力供給システムと方法について記載する。ＤＣ−ＤＣコンバーターへの入力電流は、１つ又は複数の燃料電池から得ることができ、電子デバイスへの電力の供給に使用できる。測定温度はシステム内の任意の温度であってよく、一実施例では、温度は１つ又は複数の燃料電池の温度であってよい。測定温度が上昇するに伴い、ＤＣ−ＤＣコンバーターへの燃料電池電流を低減させて、１つ又は複数の燃料電池に由来する熱発生を減らし、それにより、熱発生の減少の結果として測定温度を低下させることができる。一部のケースで、測定温度が高くなりすぎそうな場合には、電子デバイスの電力需要に関係なく燃料電池電流を低下させることができる。その場合には、燃料電池電流を低下させることにより測定温度を制限するために、電子デバイスの電力需要が犠牲になる可能性がある。
【００２７】
本明細書で記載の電力供給システムと方法は、「Ｆｌｕｉｄｉｃ  Ｉｎｔｅｒｆａｃｅ  Ｍｏｄｕｌｅ  ｆｏｒ  ａ  Ｆｕｅｌ  Ｃｅｌｌ  Ｓｙｓｔｅｍ」という名称で２０１３年３月１５日に出願された米国特許出願第１３／８３６，７８９号においてＩａｃｏｎｉｓにより記載された燃料電池システム、又は「Ｍｅｔｈｏｄｓ  ｆｏｒ  Ｏｐｅｒａｔｉｎｇ  ａ  Ｆｕｅｌ  Ｃｅｌｌ  Ｓｙｓｔｅｍ」という名称で２０１３年３月１５日に出願された米国特許出願第１３／８３７，４１０号においてＩａｃｏｎｉｓらにより記載された燃料電池システム、又は「Ｆｌｕｉｄｉｃ  Ｉｎｔｅｒｆａｃｅ  Ｍｏｄｕｌｅ  ｆｏｒ  ａ  Ｆｕｅｌ  Ｃｅｌｌ  Ｓｙｓｔｅｍ」という名称で同日に出願された国際出願第ＰＣＴ／      ／      号（代理人整理番号ＢＩＣ−１７７．Ｐ１３２．ＰＣＴ）に記載された燃料電池システム、又は「Ｍｅｔｈｏｄｓ  ｆｏｒ  Ｏｐｅｒａｔｉｎｇ  ａ  Ｆｕｅｌ  Ｃｅｌｌ  Ｓｙｓｔｅｍ」という名称で同日に出願されたＰＣＴ／      ／      号（代理人整理番号ＢＩＣ−１７８．Ｐ１３３．ＰＣＴ）に記載された燃料電池システム中で、又はそれと組み合わせて使用できる。これら全ての特許出願は、参照によりその全体が本明細書に組み込まれる。
【００２８】
図１は、電子デバイス１２に電力を供給する電力供給システム１０を示す。この電子デバイスは、限定されないが、携帯電話、デジタルカメラ、コンピューターゲーム機、デジタル音楽プレーヤー、及び携帯情報端末などの携帯型電子デバイスを含む任意のタイプの電子デバイスであってよい。電力供給システム１０は、燃料供給部１４、１つ又は複数の燃料電池１６、及びＤＣ−ＤＣコンバーター１８を含むことができる。
【００２９】
図１では、電力供給システム１０は電子デバイス１２から分離されて示されているが、電力供給システム１０は、電子デバイス１２内に収容することができる。あるいは、電力供給システム１０が電子デバイス１２の外部にあってもよく、これには、電力供給システム１０が電子デバイス１２の外部充電器として使用可能な場合を含めることができる。
【００３０】
燃料供給部１４は、必要に基づいて、１つ又は複数の燃料電池１６に指定圧力で燃料を送るように構成できる。一実施例では、燃料供給部１４から１つ又は複数の燃料電池１６に供給される燃料は、水素であってよい。燃料供給部１４の燃料は、気体又は液体であってよく、また、実質的に純粋であっても、又は微量のその他のガスを含む改質ガスであってもよい。燃料供給部１４は水蒸気を含むことができる。燃料供給部１４の燃料が液体の場合、燃料には、メタノール、エタノール、ギ酸、又はＮａＢＨ４もしくはその他の水素含有材料を含むことができる。
【００３１】
本明細書の図１及びその他の図に示すように、燃料電池１６は、組み合わせて使用される１つ又は複数の燃料電池１６を含むことができる。一実施例では、１つ又は複数の燃料電池１６は、平面燃料電池配列を備えることができる。その他の実施例では、１つ又は複数の燃料電池１６は、積層配列、スパイラル配列、又は他の任意の構造／配置であってよい。
【００３２】
１つ又は複数の燃料電池１６は、電子デバイス１２に供給可能な電力Ｐ１を生成するように構成できる。１つ又は複数の燃料電池１６からの電力Ｐ１は、１つ又は複数の燃料電池１６により生成された電流Ｃ１と電圧Ｖ１の積（オームの法則）である。ＤＣ−ＤＣコンバーター１８は、１つ又は複数の燃料電池１６に接続された入力及び電子デバイス１２に接続された出力を備えることができる。ＤＣ−ＤＣコンバーター１８は、１つ又は複数の燃料電池１６から電流Ｃ１と電圧Ｖ１として電力Ｐ１を受け取ることができる。ＤＣ−ＤＣコンバーター１８は、電子デバイス１２に対し、出力電流Ｃ２と共に、より低い、より高い、又は類似の出力電圧Ｖ２を送ることができ、それにより、ＤＣ−ＤＣコンバーターは電子デバイス１２に電力Ｐ２を送ることができる。ＤＣ−ＤＣコンバーター１８は、実質的に一定電圧で出力電圧Ｖ２を送ることができる。ＤＣ−ＤＣコンバーター１８から送られた電力Ｐ２は、ＤＣ−ＤＣコンバーター１８の電力損失に基づいて、１つ又は複数の燃料電池１６からＤＣ−ＤＣコンバーター１８に送られた電力Ｐ１より小さくあり得る。
【００３３】
燃料供給部１４が水素生成システムを組み込んでいる一実施例では、適切な圧力調整手段を介して１つ又は複数の燃料電池１６に水素を供給できる。１つ又は複数の燃料電池１６により生成され、そこから引き出される電流（電流Ｃ１）は、電子デバイス１２の電力需要に依存してよい。１つ又は複数の燃料電池１６からＤＣ−ＤＣコンバーター１８により電流が引き出されない場合は、燃料供給部１４は、最大圧力まで高め、その時点で、さらなる燃料供給部１４からの水素生成又は放出を停止できる。１つ又は複数の燃料電池１６から電流が引き出される場合は、１つ又は複数の燃料電池１６は水素を消費し、これが次に１つ又は複数の燃料電池１６中の水素の圧力を低下させ、これにより、水素圧力を回復するために、より多くの水素を生成させるか又は供給させることができる。１つ又は複数の燃料電池１６に加わる負荷が減少し、より少ない電流が引き出される場合、水素消費は減少し、従って、水素圧力が増加し、これにより、燃料供給部１４からの水素生成速度を調節するか止めることができる。その他の実施例では、燃料供給部１４は、１つ又は複数の燃料電池１１６からの瞬間的な電力需要に基づいて１つ又は複数の燃料電池１１６への燃料の流れを調節するための類似の内部プロセスを持つその他の既知の手段を使って、提供又は生成できる。
【００３４】
上述のように、ＤＣ−ＤＣコンバーター１８は、１つ又は複数の燃料電池１６により生成される可変入力電流Ｃ１を受け取る。電子デバイス１２の動作中に、電子デバイス１２は、装置の電力需要に基づいてＤＣ−ＤＣコンバーター１８から電流を引き出すことができる。それに応じて、ＤＣ−ＤＣコンバーター１８は、１つ又は複数の燃料電池１６から電流を引き出すことができる。電子デバイス１２が少量の電力を引き出している場合、１つ又は複数の燃料電池１６から少量の電流を引き出すことができる。逆に、電子デバイス１２が大量の電力を引き出している場合、ＤＣ−ＤＣコンバーター１８は、１つ又は複数の燃料電池１６から大量の電流を引き出すことにより応答して、電子デバイス１２の要求に適合させることができる。
【００３５】
電子デバイス１２からの電力需要が増加を続ける場合は、ＤＣ−ＤＣコンバーター１８は、１つ又は複数の燃料電池１６からますます多くの電力を引き出し続ける。１つ又は複数の燃料電池からの電流Ｃ１が増加するに伴い、より多くの熱が１つ又は複数の燃料電池１６により生成される。１つ又は複数の燃料電池１６が電子デバイス１２内に収容できる一実施例では、１つ又は複数の燃料電池１６は、電子デバイス１２中の大きな熱発生器と見なすことができる。さらに、１つ又は複数の燃料電池１６は未制御電源であり、ＤＣ−ＤＣコンバーター１８は１つ又は複数の燃料電池１６から可能な限り大きな電力を引き出す。しかし、１つ又は複数の燃料電池１６は、最大電力出力を有し、電流Ｃ１が増加するに伴い電圧Ｖ１が急激に低下する可能性がある。１つ又は複数の燃料電池１６の最大電力出力に到達するか又はこれを超えると、電圧出力が急落する場合がある。ますます多くの電流を引き出すに伴い、１つ又は複数の燃料電池１６はますます多くの熱を生成し、１つ又は複数の燃料電池１６の温度は上昇を続け、このことが、１つ又は複数の燃料電池１６の性能及び／又は寿命に悪い影響を与える可能性がある。後述のように、一部は性能の最適化もしくは改善及び／又は１つもしくは複数の燃料電池１６の加熱もしくはドライアウトの防止に基づいて、１つ又は複数の燃料電池１６の温度をモニターし、調節することが重要となる場合がある。
【００３６】
１つ又は複数の燃料電池１６又は電子デバイス１２の動作中に、少なくとも１つの温度をモニターし、調節又は制御をすることができる。このような温度は、例えば、安全性又は効率などの種々の理由のために調節することができる。例えば、１つ又は複数の燃料電池１６の少なくとも１つの温度を調節できる。期せずして、燃料電池には、１つ又は複数の燃料電池１６がより多量の電力を生成できる最適動作温度があり、この最適温度より低い又は高いずれは、様々な理由で電池により生成される電力を低下させる可能性があることを発見した。１つ又は複数の燃料電池１６の内部動作温度は、特に、燃料電池により生成される熱と、１つ又は複数の燃料電池１６が動作している環境温度の関数である。燃料電池温度を制御して、１つ又は複数の燃料電池１６に最大電力量を生成させることができる。燃料電池温度の制御は、１つ又は複数の燃料電池１６の許容可能なレベルを超えるドライアウトを防ぐことができる。このドライアウトは１つ又は複数の燃料電池１６の性能に悪影響を与える場合がある。燃料電池温度を制御して、水素生成を制御できる。従って、１つ又は複数の燃料電池１６の少なくとも１つの温度を制御することが有益な場合がある。
【００３７】
同様に、様々な理由で電子デバイス１２の少なくとも１つの温度を調節できる。例えば、電子デバイス１２の全体のシステム温度を測定し制御できる。全体のシステム温度は、電子デバイス１２の外面温度に相当し、これは、消費者の快適性と安全性基準（ｓｔａｎｄａｒｄｓ  ｆｏｒ  ｃｏｎｓｕｍｅｒ  ｃｏｍｆｏｒｔ  ａｎｄ  ｓａｆｅｔｙ）に基づいて調整できる。
【００３８】
１つ又は複数の燃料電池１６又は電子デバイス１２の温度制御手段には、加熱又は冷却を提供することを含めることができる。ヒートシンク又はファンなどの放熱装置を使って、１つ又は複数の燃料電池１６及び／又は電子デバイス１２から熱を除去し、１つ又は複数の燃料電池１６及び／又は電子デバイス１２の温度を下げることができる。しかし、予想外に、大きなヒートシンクなどの一部の放熱装置は燃料電池システムの性能を阻害することがあることが明らかになった。加えて、放熱装置及び複雑な温度制御システムは、例えば、全体の空き領域と重量の制約を考慮すると、採用が極めて難しい場合がある。
【００３９】
本出願は、１つ又は複数の燃料電池１６により生成される熱を減らして１つ又は複数の燃料電池１６又は電子デバイス１２の所定の温度を制限するシステムと方法について記載する。システムから熱を除去して所定の温度を下げる温度降下手段の使用の代わりに、又はそれに加えて、本明細書で記載のシステムと方法は、所定の温度が高すぎる場合に、ＤＣ−ＤＣコンバーター１８の電流（入力又は出力電流のいずれか）を制限して、熱発生を減らす。ＤＣ−ＤＣコンバーター電流を所定の温度の関数として制限できる。図２〜５を参照して以降でさらに記載するように、ＤＣ−ＤＣコンバーター１８の電流の制限は、それにより、１つ又は複数の燃料電池１６から引き出された電流を制限でき、これを使って、１つ又は複数の燃料電池１６の熱発生を制限し、１つ又は複数の燃料電池１６の温度を下げることができる。燃料電池温度に加えて、又はその代わりに、温度の関数としてＤＣ−ＤＣコンバーター電流を制限する方法とシステムを使って、図１のシステム１０又は電子デバイス１２内の任意の温度を制限することができる。システムと方法は、最小限の部品と回路を使って、かつ１つ又は複数の燃料電池１６又は電子デバイス１２内の大きな量の領域を占有することなく実現及び組み込み可能である。システムと方法は、電力供給に使用される燃料電池構造に関係なく実現できる。
【００４０】
図２は、電子デバイス１１２に電力を供給する電力供給システム１００の実施例を示す。図２では、一実施例において、電力供給システム１００が電子デバイスから分離されて示されているが、電力供給システム１００は、電子デバイス１１２内に収容することができ、また、図２Ａ〜４Ａのシステム１００'、２００、３００及び３００'にも同じことが言える。いくつかの実施例では、電力供給システム１００を電子デバイス１１２内に完全に配置でき、また、図２Ａ〜４Ａのシステム１００'、２００、３００及び３００'にも同じことが言える。一実施例では、電力供給システム１００は電子デバイス１１２の外側にあってもよく、また、図２Ａ〜４Ａのシステム１００'、２００、３００及び３００'にも同じことが言える。一実施例では、電力供給システム１００は、電子デバイス１１２に電力を供給する外部充電器であってもよい。
【００４１】
電力供給システム１００は、燃料供給部１１４、１つ又は複数の燃料電池１１６、ＤＣ−ＤＣコンバーター１１８、及び以降でさらに記載のようにＤＣ−ＤＣコンバーター１１８に接続できる温度センサー１２０を含むことができる。燃料供給部１１４及び１つ又は複数の燃料電池１１６は、図１に関連して上記した燃料供給部１４及び１つ又は複数の燃料電池１６と類似であってよい。１つ又は複数の燃料電池１１６には、任意のタイプの既知の燃料電池構造を含めることができる。
【００４２】
温度センサー１２０は、電力供給システム１００又は電子デバイス１１２内の温度Ｔを測定するように構成できる。図２では、温度センサー１２０は、電力供給システム１００内に存在するものとして示されているが、温度センサー１２０の物理的な位置はその他の領域中の位置であってよい。例えば、温度センサー１２０は、電子デバイス１１２中に配置されてもよい。これに関しては、以下で詳細に記述する。
【００４３】
図１に関連して同様に上で記載されているように、１つ又は複数の燃料電池１１６は、ＤＣ−ＤＣコンバーター１１８へ入力できる電流Ｃ１及び電圧Ｖ１を生成できる。電力供給システム１００は、ＤＣ−ＤＣコンバーター１１８が電流制限値ＣＬを備えることができるように構成することができる。電流制限値ＣＬは、測定温度の関数として調整できる。本発明で使用する場合、「電流制限値ＣＬの調整」は、電流制限値ＣＬが一定時間にわたり動的に調整又は変更できることを意味する。本発明で使用する場合、電流制限値ＣＬは、ＤＣ−ＤＣコンバーター１１８の入力電流制限値又はＤＣ−ＤＣコンバーター１１８の出力電流制限値であってよい。電流制限値ＣＬを調整して、１つ又は複数の燃料電池１６による熱発生を減らして測定温度Ｔを制限することができる。電流制限値ＣＬは温度Ｔに反比例してもよい。測定温度Ｔが高まるに伴い、電流制限値ＣＬを下げることができる。測定温度Ｔが低下するのに伴い、電流制限値ＣＬを上げることができる。
【００４４】
ＤＣ−ＤＣコンバーター１１８は限流機能を有し、電力供給システム１００の動作中に電流制限値ＣＬを動的に変動させる又は変更することができる。ＤＣ−ＤＣコンバーター１１８の電流制限値ＣＬは、その特定のＤＣ−ＤＣコンバーターの仕様と設計に基づく最大値を有することができる。従って、電流制限値ＣＬは変わることができるが、最大値を超えることはできない。入力電力Ｐ１が出力電圧Ｖ２と電流制限値ＣＬの積により設定される出力電力を超えないように電流制限値ＣＬを変更することにより、ＤＣ−ＤＣコンバーター１１８に対する入力電流Ｃ１を調整できる。出力電流Ｃ２が電流制限値ＣＬを超えないようにＤＣ−ＤＣコンバーター１１８に対する入力電力Ｐ１が制御されるので、電力供給システム１００は、１つ又は複数の燃料電池１１６から引き出される電力Ｐ１を制限できる。
【００４５】
電流制限値ＣＬが入力電流制限値である一実施例では、入力電流制限値ＣＬは、１つ又は複数の燃料電池１１６からＤＣ−ＤＣコンバーター１１８への電流Ｃ１を制限できる。電流制限値ＣＬが出力電流制限値である一実施例では、ＤＣ−ＤＣコンバーター１１８が実質的に一定の出力電圧Ｖ２を有すると仮定すると、出力電流制限値ＣＬは、１つ又は複数の燃料電池１１６を実質的に一定の電力Ｐ１で動作させることができ、従って、燃料電池電圧Ｖ１は変動することができ、また、電流Ｃ１は変動することができる。
【００４６】
限流機能を有するＤＣ−ＤＣコンバーター１１８は、市販設計のＤＣ−ＤＣコンバーターであっても、又はＬＭ３１５０「Ｓｉｍｐｌｅ  Ｓｗｉｔｃｈｅｒ（登録商標）Ｃｏｎｔｒｏｌｌｅｒ」もしくはＬＭ２５１１７「Ｗｉｄｅ  Ｉｎｐｕｔ  Ｒａｎｇｅ  Ｓｙｎｃｈｒｏｎｏｕｓ  Ｂｕｃｋ  Ｃｏｎｔｒｏｌｌｅｒ」（それぞれＴｅｘａｓ  Ｉｎｓｔｒｕｍｅｎｔｓから入手可能）、ＭＡＸ５０６１「０．６Ｖ  ｔｏ  ５．５Ｖ  Ｏｕｔｐｕｔ，  Ｐａｒａｌｌｅｌａｂｌｅ，  Ａｖｅｒａｇｅ−Ｃｕｒｒｅｎｔ−Ｍｏｄｅ  ＤＣ−ＤＣ  Ｃｏｎｔｒｏｌｌｅｒ」（Ｍａｘｉｍ  Ｉｎｔｅｇｒａｔｅｄから入手可能）、又はＬＶ５０６８Ｖ「Ｎｏｎ−Ｓｙｎｃｈｒｏｎｏｕｓ  Ｒｅｃｔｉｆｉｃａｔｉｏｎ  １ｃｈ  Ｓｔｅｐ−Ｄｏｗｎ  Ｓｗｉｔｃｈｉｎｇ  Ｒｅｇｕｌａｔｏｒ  Ｃｏｎｔｒｏｌ  ＩＣ」（ＯＮ  Ｓｅｍｉｃｏｎｄｕｃｔｏｒから入手可能）などの標準量産品のＤＣ−ＤＣコンバーターであってもよい。
ＤＣ−ＤＣコンバーター１１８に対する電流制限の実行は、ＤＣ−ＤＣコンバーター１１８の具体的な設計に依存してよい。ＤＣ−ＤＣコンバーター１１８は、電流制限値ＣＬを変えるためにＤＣ−ＤＣコンバーター１１８により使用可能な入力パラメーターを受け取ることができる。一実施例では、入力パラメーターは抵抗値であってよく、電流制限値ＣＬは抵抗値に応じて変えることができる。その他の実施例では、電流制限値ＣＬを変える入力パラメーターには、限定されないが、静電容量又は電圧を含むことができる。「Ｖｏｌｔａｇｅ  Ｒｅｇｕｌａｔｉｏｎ  ｏｆ  ａ  ＤＣ／ＤＣ  Ｃｏｎｖｅｒｔｅｒ」という名称の米国特許出願公開第２０１２／０３０６２７８号を参照する。
【００４７】
ＤＣ−ＤＣコンバーター１１８から引き出される電流（出力電流Ｃ２）は、電子デバイス１１２の電力需要を基準とすることができる。従って、同様に、ＤＣ−ＤＣコンバーター１１８への入力電流Ｃ１も、電子デバイス１１２の電力需要を基準とすることができる。電子デバイス１１２が電流制限値ＣＬより小さい電流を生ずる量の電力をＤＣ−ＤＣコンバーター１１８から引き出す場合、電力供給システム１００は、何らの変化なしに動作を続けることができる。電流制限値ＣＬは、測定温度Ｔの関数であってよい。入力電流Ｃ１が電流制限値ＣＬ未満である限り（電流制限値ＣＬが入力電流制限値である場合）、測定温度Ｔは、電力供給システム１００の動作に影響を与えていない温度レベルであることができる。換言すれば、測定温度Ｔは十分低く、入力電流Ｃ１を入力電流制限値ＣＬに到達させてしまうことはない。同様に、電流制限値ＣＬが出力電流制限値の場合、電力供給システム１００は、出力電流Ｃ２が電流制限値ＣＬ未満である限り、何らの変化なしに動作することができる。これは低電力モードと呼ぶことができ、電力供給システム１００は、１つ又は複数の燃料電池１１６により生成される電流Ｃ１又は電力Ｐ１に対する制限なしに動作する。この低電力モードは、電子デバイス１１２の動作条件又は需要に基づき、従って、システム１００のユーザーにより選択された動作モードではない場合がある。例えば、入力電流Ｃ１又は出力電流Ｃ２は、電流制限値ＣＬ未満になるように、１つ又は複数の燃料電池１１６により発生する熱の消散に十分な程度に周辺環境の温度を低くできる。別の実施例では、電子デバイス１１２の電力需要が十分に少なく、１つ又は複数の燃料電池１１６により発生する熱は、結果として、電流制限値ＣＬ未満の入力電流Ｃ１又は出力電流Ｃ２をもたらす。
【００４８】
対照的に、入力電流Ｃ１が入力電流制限値ＣＬ又は出力電流Ｃ２が出力電流制限値ＣＬ（入力電流制限値であるか、又は出力電流制限値であるかに応じて）に近づくと、電力供給システム１００は、限流モードに移行することができる。測定温度Ｔに従って、電流制限値ＣＬは接近又は到達される。従って、限流モードはユーザーにより選択されるのではなく、システム１００は測定温度Ｔに基づいて限流モードで動作する。上述のように、電流制限値ＣＬは温度Ｔに反比例してよい。限流モードでは、電流制限値ＣＬが入力電流制限値である場合、電力供給システム１００は、入力電流Ｃ１を減らして１つ又は複数の燃料電池１１６により引き出される電流を減らし、それにより、１つ又は複数の燃料電池１１６により発生する熱を減らすことができる。熱発生の低減により、測定温度Ｔを下げることができる。電流制限値ＣＬが出力電流制限値の場合、限流モードにおいて、入力電流Ｃ１及び入力電圧Ｖ１を変えて出力電流Ｃ２を減らすことができ、これにより電力Ｐ１の低下をもたらすことができる。電力Ｐ１の低減は、同様に１つ又は複数の燃料電池１１６により生じた熱を減らすことができ、これにより測定温度Ｔを下げることができる。一定の期間にわたり測定温度Ｔが低下するのに伴い、電流制限値ＣＬを上げることができる。
【００４９】
１つ又は複数の燃料電池１１６からの出力電流Ｃ１又は電力Ｐ１の低減により、１つ又は複数の燃料電池１１６により生成される熱を直接減らすことができる。１つ又は複数の燃料電池１１６は大きな発熱源である場合があるので、この低減を利用して、燃料電池１１６の領域又はその近傍の領域で測定される温度を下げることができる。１つ又は複数の燃料電池１１６が電子デバイス１１２内に収容される場合、１つ又は複数の燃料電池１１６からの熱の低減は、通常、電子デバイス１１２のどの場所の温度でも下げることができる。
【００５０】
一実施例では、１つ又は複数の燃料電池１１６からの出力電流Ｃ１が減るに伴い、１つ又は複数の燃料電池１１６からの電力Ｐ１を減らすことができる。場合によっては、１つ又は複数の燃料電池１１６からの電力Ｐ１の低下は、電子デバイス１１２の電力需要が高い場合でも起こることがある。従って、温度Ｔの制限が、電子デバイス１１２の電力需要を満たすことより優先される場合がある。その他の実施例では、１つ又は複数の燃料電池１１６からの出力電流Ｃ１が減少するに伴い、１つ又は複数の燃料電池１１６からの電力Ｐ１は、一部は出力電圧Ｖ１に応じて、同じのままか又は増加する場合がある。
【００５１】
上述のように、電力供給システム１００は、低電力モードを備えることができ、この場合、測定温度Ｔは、電流制限値ＣＬが入力電流制限値か又は出力電流制限値かに応じて、入力電流Ｃ１又は出力電流Ｃ２のいずれかを超える電流制限値ＣＬを維持する。一実施例では、低電力モードは、１つ又は複数の燃料電池１１６を、例えば、効率に基づく好ましい動作温度又は温度範囲より低いとし得る温度で動作させることを含むことができる。電力供給システム１００の１つ又は複数の燃料電池１１６は、より低温で動作でき、最小動作温度は有さない。
【００５２】
温度センサー１２０は、電力供給システム１００上又はその内部の実質的にどこにでも配置できる。従って、電力供給システム１００の温度は、システム１００又はシステム１００の任意の部品内の任意の温度であってよく、これには、１つ又は複数の燃料電池１１６の温度又は１つ又は複数の燃料電池１１６の周辺の領域又は部品の温度を含む１つ又は複数の燃料電池１１６を含めることができる。電力供給システム１００が電子デバイス１１２内に配置されるいくつかの実施例では、温度センサー１２０は、電子デバイス１１２上又は内の実質的にどこにでも配置できる。従って、電子デバイス１１２の温度は、電子デバイス１１２又は装置１１２の任意の部品内の任意の温度であってよい。一実施例では、温度センサー１２０は、その中の任意の温度感受性部品の温度を測定するように設計できる。例としては、限定されないが、１つ又は複数の燃料電池１１６の内の少なくとも１つの負極又は正極温度などの１つ又は複数の燃料電池１１６の温度、燃料供給部１１４の温度、電子デバイス１１２の内側の温度、又は電子デバイス１１２の外側の温度、が挙げられる。電力供給システム１００は、たとえ温度センサー１２０が異なる物理的位置にある場合でも、電力供給システム１００又は電子デバイス１１２のその他の１つ又は複数の温度を計算するか、又は推定するように構成できる。例えば、温度センサー１２０は、電子デバイス１１２の内側部分に配置でき、従って、測定温度Ｔは、電子デバイスの内側部分に対応可能である。しかし、電子デバイス１１２の熱的特性に基基づいて、測定温度Ｔを使って電子デバイスの外面の温度を測定でき、これは、ユーザーの快適性又は安全性にとって重要な場合がある。
【００５３】
上述のように、温度センサー１２０は、測定温度Ｔが１つ又は複数の燃料電池１１６の温度であるように構成できる。上述のように、１つ又は複数の燃料電池１１６の温度をモニターし、制限することが有益な場合がある。温度Ｔが高すぎる場合、１つ又は複数の燃料電池１１６から引き出す電流を減らすために、電流制限値ＣＬを下げることができる。上述のように、燃料電池からの出力電流Ｃ１又は出力電力Ｐ１の減少は、１つ又は複数の燃料電池１１６による熱発生量を減少させ、それにより、温度Ｔをさげる。その場合、１つ又は複数の燃料電池１１６の負荷の減少により、温度Ｔを直接下げることができる。電流制限値ＣＬは、１つ又は複数の燃料電池１１６が最大燃料電池動作温度を超える温度で動作するのを防ぐように調節できる。一実施例では、温度上昇に対応して電流制限値ＣＬが下がる時点と、温度Ｔが最大燃料電池動作温度未満に下がる時点との間で、時間のずれが存在する場合がある。電流制限値ＣＬを使って、温度Ｔが最大燃料電池動作温度未満になる時間を最小化することができる。電流制限値ＣＬと温度Ｔの間の相関は、この時間のずれを考慮するように構成できる。
【００５４】
同様に上で記載のように、温度センサー１２０は、１つ又は複数の燃料電池１１６の温度の測定に加えて、又はそれに代えて、電力供給システム１００の異なる領域又は電子デバイス１１２の温度Ｔを測定するように構成できる。一実施例では、電力供給システム１００が電子デバイス１１２の内側に配置される場合、電流制限値ＣＬを調整して電子デバイス１１２が最大電子デバイス温度より大きい温度で動作するのを防ぐことができる。すぐ前の段落と同じ制御機構を使うことができ、例えば、電流制限値ＣＬを測定温度Ｔに対応して下げることができ、これは、燃料電池からの電流Ｃ１又は電力Ｐ１を低下させ、燃料電池による熱発生を減らす。その場合、燃料電池１１６をさらに使用して、電力供給システム１００及び電子デバイス１１２中の全体熱発生を減らし、システム１００又は電子デバイス１１２のいくつかの他の領域で測定した温度を間接的に下げることができる。電子デバイス１１２には、１つ又は複数の燃料電池１１６に加えて、他の熱源を含めることができる。上述のように、１つ又は複数の燃料電池１１６は、電子デバイス１１２内の大きな熱源になる場合がある。２つ以上の熱源が存在し、温度Ｔの上昇に寄与する場合があるが、電力供給システム１００は、１つ又は複数の燃料電池１１６に加わる負荷を制御して温度Ｔを制限するように構成できる。
【００５５】
一実施例では、電力供給システム１００は、システム１００からの熱を除去するためのヒートシンクもしくはファンを実質的に含まないか、又は最小限にするようにできる。その代わりに、電力供給システム１００は、測定温度が高くなる場合に、電流制限値ＣＬを使用して、１つ又は複数の燃料電池１１６による熱発生を制限するか、又は減らし、それにより、電力システム１００又は電子デバイス１１２の温度を下げることができる。従来のタイプの熱除去装置が存在しないことにより、例えば、電力供給システム１００又は電子デバイス１１２のためのより小さく、かつ、より単純な設計の実現を容易にできる。一実施例では、本明細書で記載の電流制限値ＣＬの制御と組み合わせて、ヒートシンクもしくはファン、又は他のタイプの熱除去手段を電力供給システム１００又は電子デバイス１１２に含めることができる。
【００５６】
測定温度Ｔの関数としての電流制限値ＣＬの調整は、任意の好適な方法で実現できる。調整には、例えば、制御システムを必要としない、温度センサーとＤＣ−ＤＣコンバーターの直接接続から、プログラマブル論理回路を含むデジタル制御システムまでの範囲を含めることができる。
【００５７】
図２に示すように、電力供給システム１００は、温度センサー１２０がＤＣ−ＤＣコンバーター１１８に直接接続できるように構成することができる。一実施例では、温度センサー１２０は、サーミスターであってよく、所定の温度変化は抵抗値の正又は負の変化により表すことができる。サーミスターは温度変化に応答して大きな抵抗値の変化を示すことができる。一実施例では、負の温度係数（ＮＴＣ）のサーミスターを使用できる。特定のＮＴＣサーミスターは、必要とする正確さのみならず、一部は測定される温度と抵抗値の範囲に基づいて選択できる。
【００５８】
サーミスターを使用する一実施例では、温度Ｔは、サーミスターにより測定された抵抗値Ｒ１と相関させることができる。ＤＣ−ＤＣコンバーター１１８への電流制限値ＣＬが抵抗値により調整される場合で、サーミスターの抵抗値の範囲がＤＣ−ＤＣコンバーター１１８の限流機能の抵抗値範囲と合致する場合には、サーミスターはＤＣ−ＤＣコンバーター１１８に対する測定抵抗値Ｒ１を提供することにより、電流制限値ＣＬを直接変更することができる。一実施例では、サーミスターは、ＤＣ−ＤＣコンバーター１１８の限流抵抗器と置き替わることができ、サーミスターはフィードバック温度に基づくＤＣ−ＤＣコンバーター１１８に限流機能を提供できる。
【００５９】
図２Ａは、電力供給システム例１００'を示す。これは図２の電力供給システム１００に類似していてよい。電力供給システム１００では、ＤＣ−ＤＣコンバーター１１８は電子デバイス１１２に直接接続でき、一方、図２Ａの電力供給システム１００'では、ＤＣ−ＤＣコンバーター１１８は電力管理システム１１３'に接続できる。電子デバイス１１２'は、電力管理システム１１３'に接続できる。従って、ＤＣ−ＤＣコンバーター１１８'は、電力管理システム１１３'を介して電子デバイス１１２'に接続できる。
【００６０】
電力管理システム１１３'は、１つ又は複数の燃料電池１１６'から電力を要求することができ、さらに、電力Ｐ３を電子デバイス１１２'に送ることができる。従って、電力管理システム１１３'は、電子デバイス１１２'への電力Ｐ３の送出を制御できる。電力Ｐ３は、電力管理システム１１３'が電子デバイス１１２'の他の電源及び電力需要を有するかどうかに一部応じて基づいて、ＤＣ−ＤＣコンバーター１１８からの電力Ｐ２より大きくても、又は小さくてもよい。
【００６１】
図２Ａには示されていないが、電力管理システム１１３'は、１つ又は複数のハイブリッドバッテリーを含むことができる。ハイブリッドバッテリーを使って、１つ又は複数の燃料電池１１６'から電子デバイス１１２'への電力を補うことができる。例えば、１つ又は複数のハイブリッドバッテリーは、１つ又は複数の燃料電池１１６'により電子デバイス１１２'にすぐに供給できる量を超える電力を供給でき、又は１つ又は複数の燃料電池１１６'への燃料供給が中断した場合に電力を供給できる。１つ又は複数の燃料電池１１６'は、１つ又は複数のハイブリッドバッテリーに電力を供給して、ハイブリッドバッテリーを補充することができる。
【００６２】
電力管理システム１１３'を使って、２つ以上の電子デバイスに電力を供給できる。従って、図２Ａの電子デバイス１１２'は、１つ又は複数の電子デバイスを含むことができる。電力は同時に複数のデバイスに供給でき、又は電力管理システム１１３'は１つ又は複数のモニタリングシステムを備え、複数の電子デバイスの内のどのデバイスが所定の時点で電力を必要としているかを判断できる。図２Ａは、電力管理システム１１３'の部品を含まない。本明細書では、電力管理システム１１３'を備え、本明細書で記載の電力供給システム１００'及びその他の電力供給システムはＤＣ−ＤＣコンバーターの電子デバイスに対する直接接続を備えることができるか、又は電力供給システムはＤＣ−ＤＣコンバーターと１つ又は複数の電子デバイスとの間に電力管理システムを備えることができることが示されている。
【００６３】
図３は、電子デバイス２００に電力を供給する電力供給システム２００の実施例を示す。電力供給システム２００は、図２に関連して前に記載された電力供給システム１００と類似であってよいが、電力供給システム２００は、温度センサー１２０のＤＣ−ＤＣコンバーター１１８への直接接続ではなく、電流制限値ＣＬを調整する制御装置２２４を備えることができる。一実施例では、制御装置２２４はアナログ回路を備えることができる。システム１００と同様に、この場合でも、温度センサー２２０により所定の温度Ｔが測定できる。温度センサー２２０は任意のタイプの温度検出装置を備えることができる。温度センサー２２０には、限定されないが、任意のタイプの抵抗温度検出器、サーミスター、半導体接合、又は熱電対が含まれる。
【００６４】
一実施例では、図３に示すように、温度Ｔは抵抗値Ｒ１として温度センサー２２０により測定でき、この値は制御装置２２４への入力とすることができる。制御装置２２４は抵抗値Ｒ１を取り込み、ＤＣ−ＤＣコンバーター２１８が抵抗値を使って電流制限値ＣＬを調節するように構成されている場合、抵抗値Ｒ１に比例する値であってよいフィードバック抵抗値Ｒ２をＤＣ−ＤＣコンバーター２１８に与えることができる。従って、可変電流制限値ＣＬは、温度センサー２２０により測定された抵抗値Ｒ１を基づくことができる。
【００６５】
一実施例では、図３では抵抗値Ｒ１が示されているが、温度センサー２２０は、例えば、電圧などの温度を表す任意のパラメーターを測定できる。図３に示す抵抗値Ｒ１の代わりに、測定されたパラメーターを制御装置２２４に入力できる。同様に、ＤＣ−ＤＣコンバーター２１８は、抵抗値以外のパラメーターを使って電流制限値ＣＬを調節するように構成でき、この場合には、ＤＣ−ＤＣコンバーター２１８への入力信号は図３に示す抵抗値Ｒ２以外のものであってよい。制御装置２２４は、温度Ｔを表す温度センサー２２０からのパラメーターを受けて、それをＤＣ−ＤＣコンバーター２１８が電流制限値ＣＬを調節するために使用可能なパラメーターに変換するように構成できる。
【００６６】
図３には示されていないが、図２Ａに関連して前に記載した電力管理システムを図３の電力供給システム２００と組み合わせて使用できる。
【００６７】
図４は、電子デバイス３１２に電力を供給する電力供給システム３００の実施例を示す。電力供給システム３００の制御装置３３０は、図５に関連して以降でさらに記載するデジタルシステムであってよい。温度センサー３２０は、制御装置３３０に供給されるか又は入力される温度Ｔの測定用の任意のタイプの温度検出素子であってよい。以降でさらに記載するように、制御装置３３０はＤＣ−ＤＣコンバーター３１８への温度Ｔに基づく入力信号Ｓ１を判定することができる。入力信号Ｓ１はＤＣ−ＤＣコンバーター３１８の電流制限値ＣＬと相関させることができる。
【００６８】
図４Ａは、図４の電力供給システム３００に類似であってよい電力供給システム３００'の実施例を示す。電力供給システム３００'はＤＣ−ＤＣコンバーター３１８'及び制御装置３３０'を備えることができる。これらは一緒に、制御システム３１５'の一部を構成でき、この場合、ＤＣ−ＤＣコンバーター３１８'の機能性の少なくとも一部をデジタル制御システム内で実行できる。図４のシステム３００では、ＤＣ−ＤＣコンバーター３１８は専用かつディスクリート型ＤＣ−ＤＣコンバーター回路又はチップを備えることができる。システム３００'では、ＤＣ−ＤＣコンバーター３１８'の機能の少なくとも一部を制御装置３３０'内に設けて、システム３００'中でのＤＣ−ＤＣコンバーターチップの使用を省くことができる。ＤＣ−ＤＣコンバーター３１８'は、例えば、デジタル制御装置３３０'中のパルス幅変調プログラムを使って、ソフトウェア機能として実行できる。ＤＣ−ＤＣコンバーター３１８'を動作させるためにインダクター及びコンデンサーなどの１つ又は複数のアナログ部品を制御装置３３０'と組み合わせて使用できることは理解されよう。
【００６９】
図４Ａの電力管理システム３１３'は、図２Ａの電力供給システム１００'に加えて、電力管理システムが他の電力供給システムと一緒に使用できることを示す。電力管理システム３１３'は、図２Ａを参照して前に記載の電力管理システム１１３'と同様に動作可能である。一実施例では、制御システム３１５'を備えるシステム３００'は電力管理システム３１３'を取り除いて、ＤＣ−ＤＣコンバーター３１８'を電子デバイス３１２'に直接接続できる。
【００７０】
図５は、図４のデジタル制御システム３３０の一実施例である。図４と５に示す制御装置３３０に加えて、又はそれに代えて、他のタイプのデジタル制御システム又は構成も使用可能である。デジタル制御システム３３０は、アナログ・デジタル変換装置３３２、プログラマブル論理回路装置３３４、及び信号調整回路３３６を備えることができる。ＤＣ−ＤＣコンバーター３１８の構造に応じて、信号調整回路３３６は制御システム３３０中に存在しても、存在しなくてもよい。デジタル制御システム３３０の全て又は一部は、電子デバイス３１２の一部であってもよく、又は図４に示すように、デジタル制御システム３３０は電力供給システム３００の構成部品であってもよい。
【００７１】
アナログ・デジタル変換装置３３２は、アナログ温度測定値（例えば、温度センサー３２０からの測定温度Ｔ）をプログラマブル論理回路装置３３４に入力できるデジタル方式で表された温度Ｔ'に変換するように構成できる。プログラマブル論理回路装置３３４は、例えば、アルゴリズム状態機械（ＡＳＭ）、マイクロコントローラー、又は他のいずれかの既知の論理回路であってよい。プログラマブル論理回路３３４は、ＤＣ−ＤＣコンバーター３１８のために電流制限値ＣＬを計算するように構成できる。電流制限値ＣＬは、例えば、温度を電流に相関させるアルゴリズムを使って、又は特定の温度に対応する電流制限値を決定するための表検索機能を使って、論理回路３３４により決定できる。
【００７２】
計算した電流制限値ＣＬは信号調整回路３３６に提供され、信号調整回路３３６は電流制限値ＣＬをＤＣ−ＤＣコンバーター３１８により使用可能な、対応する入力信号Ｓ１に変換できる。一実施例では、信号Ｓ１は抵抗値であってもよい。一実施例では、信号調整回路３３６は、電流制限値ＣＬをＤＣ−ＤＣコンバーター３１８にアナログ信号として供給できるように、デジタル・アナログ変換を備えることができる。一実施例では、ＤＣ−ＤＣコンバーター３１８は、論理回路３３４から電流制限値ＣＬを受け取るように構成でき、また、信号調整回路３３６を制御装置３３０から除外されることができる。
【００７３】
本明細書で記載のものに加えて、又はその代わりに、その他の設計を使って温度の関数としてＤＣ−ＤＣコンバーターの電流制限値を調整できる。電力供給システムの具体的な実行は、例えば、所望の温度制御精度レベル、電子デバイス設計の複雑さのレベル、ならびに使用可能領域とコストの制約、などを含めたいくつかの因子に依存し依存しうる。
【００７４】
本明細書で記載の電力供給システムに関しては、１つ以上の温度センサーを使って電力供給システム及び／又は携帯型電子デバイスの２つ以上の温度を測定できる。その場合、ＤＣ−ＤＣコンバーターに対する電流制限値ＣＬは２つ以上の温度に基づいて決定できる。一実施例では、電力供給システムの制御装置は、複数の測定温度を受け取り、それに応じて電流制限値ＣＬを調節するように構成できる。
【００７５】
上の記載は制限することではなく、例示することを意図している。例えば、上記説明を考慮すれば、当業者なら他の実施形態を使用することができる。例えば、１つの記載実施形態のいくつかの要素をその他の記載実施形態のいくつかの要素と組み合わせて使用できる。また、上記の詳細な説明では、本開示を簡略化するために、種々の特徴が一緒にまとめられている場合がある。これにより、未請求の開示特徴が全ての請求にとって不可欠であることを意図するものと解釈されるべきではない。むしろ、発明の主題は、特定の開示実施形態の全てに満たない特徴に存在する場合がある。従って、次の請求項は、本明細書により詳細な説明中に組み込まれ、それぞれの請求項は別の実施形態として独立している。本発明の範囲は、添付の請求項、及び、このような請求項が権利を受ける等価物の全範囲を基準として決定されるべきである。
【００７６】
上記の詳細な説明は、添付図面に対する言及を含み、この図面は詳細な説明の一部を構成する。図面は、実例として、本発明を実施できる具体的な実施形態を示す。これらの実施形態は「実施例」とも呼ばれる。このような実施例は、示された又は記載されたものに加えていくつかの要素を含むことができる。しかし、本発明者らは、示された又は記載されたこれらの要素のみが提供される実施例も意図している。さらに、本発明者らは、本明細書で示された又は記載された特定の実施例（又はそれらの１つ又は複数の態様）に関連して、又はその他の実施例（又はそれらの１つ又は複数の態様）に関連して、示された又は記載されたこれらの要素の任意の組み合わせ又は並び替えを使った実施例（又はそれらの１つ又は複数の態様）も意図している。
【００７７】
本出願は次の代表的実施形態を提供するが、これらの番号付けは重要性のレベルを示すものと解釈されるべきではない：
【００７８】
実施形態１は、携帯型電子デバイスへの電力供給システムを提供し、システムは、携帯型電子デバイス及びシステムの内の少なくとも１つの温度を測定するように構成された温度センサーと、電力を生成するように構成された１つ又は複数の燃料電池と、１つ又は複数の燃料電池に接続された入力及び携帯型電子デバイスに接続された出力を含むＤＣ−ＤＣコンバーターとを含み、ＤＣ−ＤＣコンバーターは、１つ又は複数の燃料電池から入力電流と入力電圧として電力を受け取り、実質的に一定電圧で電子デバイスに出力電力を供給するように構成され、また、ＤＣ−ＤＣコンバーターは、測定温度の関数として変化する電流制限値を備える。
【００７９】
実施形態２は、電流制限値が測定温度の逆関数として変化する、実施形態１のシステムを提供する。
【００８０】
実施形態３は、携帯型電子デバイスによる電力需要の量に関係なく、１つ又は複数の燃料電池により生成された電流量がＤＣ−ＤＣコンバーターの電流制限値の低下に比例して減少する、実施形態１又は２のシステムを提供する。
【００８１】
実施形態４は、携帯型電子デバイスにより受け取られる実質的に全ての電力が１つ又は複数の燃料電池により供給される、実施形態１〜３のいずれかのシステムを提供する。
【００８２】
実施形態５は、低電力モードをさらに含み、このモードでは、１つ又は複数の燃料電池により生成された電力が、携帯型電子デバイスの低電力需要の関数として減らされる、実施形態１〜４のいずれかのシステムを提供する。
【００８３】
実施形態６は、低電力モードが１つ又は複数の燃料電池の制限されない最小動作温度を備える、実施形態５のシステムを提供する。
【００８４】
実施形態７は、温度センサーが携帯型電子デバイスの内部ハウジングに配置される、実施形態１〜６のいずれかのシステムを提供する。
【００８５】
実施形態８は、システムが内部ハウジングの測定温度に基づいて携帯型電子デバイスの外面の温度を決定する、実施形態７のシステムを提供する。
【００８６】
実施形態９は、温度センサーが１つ又は複数の燃料電池又はその近くに配置される、実施形態１〜８のいずれかのシステムを提供する。
【００８７】
実施形態１０は、１つ又は複数の燃料電池の内の少なくとも１つの負極温度が測定される、実施形態９のシステムを提供する。
【００８８】
実施形態１１は、１つ又は複数の燃料電池の内の少なくとも１つの正極温度が測定される、実施形態９のシステムを提供する。
【００８９】
実施形態１２は温度センサーが１つ又は複数の燃料電池の燃料源又はその近くに配置される、実施形態１〜１１のいずれかのシステムを提供する。
【００９０】
実施形態１３は、温度センサーが、サーミスター、半導体接合、抵抗温度検出器、及び熱電対からなる群から選択される、実施形態１〜１２のいずれかのシステムを提供する。
【００９１】
実施形態１４は、電流制限値が入力電流制限値である、実施形態１〜１３のいずれかのシステムを提供する。
【００９２】
実施形態１５は、電流制限値が出力電流制限値である、実施形態１〜１３のいずれかのシステムを提供する。
【００９３】
実施形態１６は、ＤＣ−ＤＣコンバーターと携帯型電子デバイスとの間に配置された電力管理システムをさらに含み、電力管理システムが、１つ又は複数の燃料電池から携帯型電子デバイスに電力を送るように構成される、実施形態１〜１５のいずれかのシステムを提供する。
【００９４】
実施形態１７は、ＤＣ−ＤＣコンバーターの機能の一部がデジタル制御システムにより実行される、実施形態１〜１６のいずれかのシステムを提供する。
【００９５】
実施形態１８は、測定温度をモニターし、測定温度の関数としてＤＣ−ＤＣコンバーターの電流制限値を調整するように構成された制御装置をさらに含む、実施形態１〜１７のいずれかのシステムを提供する。
【００９６】
実施形態１９は、１つ又は複数の燃料電池及びＤＣ−ＤＣコンバーターが携帯型電子デバイスの内側に配置される、実施形態１〜１８のいずれかのシステムを提供する。
【００９７】
実施形態２０は、１つ又は複数の燃料電池が平面燃料電池配列を備える、実施形態１〜１９のいずれかのシステムを提供する。
【００９８】
実施形態２１は、携帯型電子デバイス用の燃料電池電力供給システムを制御する方法を提供し、方法は、１つ又は複数の燃料電池からＤＣ−ＤＣコンバーターに電流を供給すること、及び電力供給システム及び携帯型電子デバイスの内の少なくとも１つの測定温度の関数としてＤＣ−ＤＣコンバーターの電流制限値を調整することを含む。
【００９９】
実施形態２２は、ＤＣ−ＤＣコンバーターの電流制限値を測定温度の関数として調整することが、携帯型電子デバイスの電力需要に関係なく、１つ又は複数の燃料電池からの出力電流を制限することを含む、実施形態２１の方法を提供する。
【０１００】
実施形態２３は、ＤＣ−ＤＣコンバーターの電流制限値が測定温度の逆関数として変化する、実施形態２１又は２２の方法を提供する。
【０１０１】
実施形態２４は、測定温度の関数としてＤＣ−ＤＣコンバーターの電流制限値を調整することが、ＤＣ−ＤＣコンバーターにサーミスターを接続することを含む、実施形態２１〜２３のいずれかの方法を提供する。
【０１０２】
実施形態２５は、測定温度の関数としてＤＣ−ＤＣコンバーターの電流制限値を調整することが、制御装置を使って測定温度をモニターし、ＤＣ−ＤＣコンバーターの電流制限値を決定することを含む、実施形態２１〜２４のいずれかの方法を提供する。
【０１０３】
実施形態２６は、測定温度の関数としてＤＣ−ＤＣコンバーターの電流制限値を調整することが、１つ又は複数の燃料電池の最大燃料電池動作温度を超える温度での動作を防ぐか又は最小限にすることを含む、実施形態２１〜２５のいずれかの方法を提供する。
【０１０４】
実施形態２７は、測定温度の関数としてＤＣ−ＤＣコンバーターの電流制限値を調整制御することが、携帯型電子デバイスの最大電子デバイス温度を超える温度での動作を防ぐことを含む、実施形態２１〜２６のいずれかの方法を提供する。
【０１０５】
実施形態２８は、ＤＣ−ＤＣコンバーターの電流制限値が入力電流制限値である、実施形態２１〜２７のいずれかの方法を提供する。
【０１０６】
実施形態２９は、ＤＣ−ＤＣコンバーターの電流制限値が出力電流制限値である、実施形態２１〜２７のいずれかの方法を提供する。
【０１０７】
実施形態３０は、ＤＣ−ＤＣコンバーターの機能の一部がデジタル制御システムにより実行される、実施形態２１〜２９のいずれかの方法を提供する。
【０１０８】
実施形態３１は、電力管理システムがＤＣ−ＤＣコンバーターと携帯型電子デバイスとの間に配置され、電力管理システムが１つ又は複数の燃料電池から携帯型電子デバイスに電力を送るように構成される、実施形態２１〜３０のいずれかの方法を提供する。
【０１０９】
実施形態３２は、携帯型電子デバイス用の電力供給システムの制御方法を提供し、方法は、１つ又は複数の燃料電池及びＤＣ−ＤＣコンバーターを含む電力供給システムを用意すること、１つ又は複数の燃料電池から電力を生成すること、１つ又は複数の燃料電池から可変電圧と可変電流として電力がＤＣ−ＤＣコンバーターに供給されるように、１つ又は複数の燃料電池をＤＣ−ＤＣコンバーターに接続すること、ＤＣ−ＤＣコンバーターから携帯型電子デバイスに実質的に一定電圧で出力電力を供給すること、携帯型電子デバイス及び電力供給システムの内の少なくとも１つの温度を測定すること、及び測定温度の関数としてＤＣ−ＤＣコンバーターの電流制限値を調整し、それにより、ＤＣ−ＤＣコンバーターの調整された電流制限値の関数として１つ又は複数の燃料電池からの出力電流を調整することを含む。
【０１１０】
実施形態３３は、１つ又は複数の燃料電池から電力を生成することが、携帯型電子デバイスの低下した電力需要に対応して低電力モードで１つ又は複数の燃料電池を動作させることを含む、実施形態３２の方法を提供する。
【０１１１】
実施形態３４は、低電力モードが、１つ又は複数の燃料電池の制限されない最小動作温度を含む、実施形態３２又は３３のいずれかの方法を提供する。
【０１１２】
実施形態３５は、測定温度の関数としてＤＣ−ＤＣコンバーターの電流制限値を調整することが、測定温度が高まるに伴い電流制限値を下げることを含む、実施形態３２〜３４のいずれかの方法を提供する。
【０１１３】
実施形態３６は、ＤＣ−ＤＣコンバーターから携帯型電子デバイスに出力電力を供給することが、携帯型電子デバイスへの電力の送出を制御する電力管理システムに出力電力を供給することを含む、実施形態３２〜３５のいずれかの方法を提供する。
【０１１４】
実施形態３７は、ＤＣ−ＤＣコンバーターの機能の一部がデジタル制御システムにより実行される、実施形態３２〜３６のいずれかの方法を提供する。
【０１１５】
実施形態３８は、携帯型電子デバイス及び電力供給システムの内の少なくとも１つの温度を測定することが、携帯型電子デバイス又は電力供給システムの内の少なくとも１つの内部又は表面上にある温度検出素子の電気抵抗値を測定することを含む、実施形態３２〜３７のいずれかの方法を提供する。
【０１１６】
実施形態３９は、携帯型電子デバイス及び電力供給システムの内の少なくとも１つの温度を測定することが、携帯型電子デバイスの内部の温度を測定して携帯型電子デバイスが最大電子デバイス温度を超える温度で動作するのを防ぐことを含む、実施形態３２〜３８のいずれかの方法を提供する。
【０１１７】
実施形態４０は、携帯型電子デバイスの内部の測定温度に基づいて携帯型電子デバイスの外面の温度を計算することをさらに含む、実施形態３９の方法を提供する。
【０１１８】
実施形態４１は、携帯型電子デバイス及び電力供給システムの内の少なくとも１つの温度を測定することが、１つ又は複数の燃料電池又はその近くの温度を測定して、１つ又は複数の燃料電池が最大燃料電池動作温度を超える温度で動作するのを防ぐことを含む、実施形態３２〜４０のいずれかの方法を提供する。
【０１１９】
実施形態４２は、１つ又は複数の燃料電池が平面燃料電池配列を備える、実施形態３２〜４１のいずれかの方法を提供する。
【０１２０】
実施形態４３は、１つ又は複数の燃料電池及びＤＣ−ＤＣコンバーターが、携帯型電子デバイスの内側に配置される、実施形態３２〜４２のいずれかの方法を提供する。
【０１２１】
実施形態４４は、ＤＣ−ＤＣコンバーターの電流制限値が入力電流制限値である、実施形態３２〜４３のいずれかの方法を提供する。
【０１２２】
実施形態４５は、ＤＣ−ＤＣコンバーターの電流制限値が出力電流制限値である、実施形態３２〜４３のいずれかの方法を提供する。
【０１２３】
実施形態４６は、それぞれ、記載された全ての工程又は構成要素が使用又は選択できるように任意に構成できる、実施形態１〜４５のいずれか１つもしくはそれらの組み合わせの方法又はシステムを提供する。
【図１】
2016515374.tif 000003
【図２】
2016515374.tif 000004
【図２Ａ】
2016515374.tif 000005
【図３】
2016515374.tif 000006
【図４】
2016515374.tif 000007
【図４Ａ】
2016515374.tif 000008
【図５】
2016515374.tif 000009
【国際調査報告】
2016515374.tif 000010
2016515374.tif 000011